(57)【特許請求の範囲】
【請求項１】
複数枚の伝票が分離可能に重ねられ、上側の伝票に記録された情報が選択的に下側の伝票に複写される配送伝票であって、
一対の対向する第１外縁部及び第２外縁部を有する荷札票と、
前記荷札票上に配置され、前記荷札票の前記第１外縁部及び前記第２外縁部より内側に位置する第１外縁部及び第２外縁部を有する受領票と、
前記受領票の前記第１外縁部及び前記第２外縁部を、前記荷札票と剥離可能に接着する第１の接着剤部と、
前記受領票上に配置され、前記荷札票の前記第１外縁部及び前記第２外縁部と重なる第１外縁部及び第２外縁部を有する到達整理票と、
前記荷札票と前記到達整理票との前記第１外縁部及び前記第２外縁部同士を剥離可能に接着する第２の接着剤部と、
前記第２の接着剤部により接着された前記荷札票と前記到達整理票との間であって前記受領票の上側又は下側に配置される客用控え票とを備え、
前記荷札票、前記受領票、前記到達整理票及び前記客用控え票は、厚み方向において重なる第３外縁部を有し、
前記荷札票、前記受領票、前記到達整理票及び前記客用控え票の前記第３外縁部を接着する第３の接着剤部と、
前記第３の接着剤部の内側に形成され、前記荷札票、前記受領票、前記到達整理票及び前記客用控え票を前記第３接着剤部から分離可能にする裁断部とを備え、
前記受領票は、前記荷札票の第４外縁部より内側に位置する第４外縁部を有し、
前記第１の接着剤部は、前記受領票の前記第４外縁部と前記荷札票とを剥離可能に接着し、
前記到達整理票は、前記荷札票の前記第４外縁部と重なる第４外縁部を有し、
前記第２の接着剤部は、前記荷札票と前記到達整理票との前記第４外縁部同士を剥離可能に接着すること、
を特徴とする配送伝票。
【請求項２】
請求項１に記載の配送伝票において、
荷札票の下面側には、配送伝票を配送物に貼付するための第４の接着剤部を備えること
を特徴とする配送伝票。
【請求項３】
請求項１に記載の配送伝票の使用方法であって、
前記配送伝票を、配送物に貼付して配送する配送過程において、
前記配送伝票から前記到達整理票及び前記客用控え票を分離して配送先に配送物を配送し、その配送物を配送先に渡すことができなかったときは、前記客用控え票を前記荷札票と前記受領票との間に収納すること
を特徴とする配送伝票の使用方法。
【発明の詳細な説明】
【０００１】
【発明の属する技術分野】
この発明は、宅配荷物や郵便小包み等に使用する複写式の配送伝票と、その使用方法に関するものである。
【０００２】
【従来の技術】
図５は、従来のこの種の配送伝票の一例の構成を示す斜視図である。配送伝票１０は、プリンタ等で印字可能に図中上下方向にミシン目等で連接された連続帳票の１葉である。配送伝票１０は、控え票１１と、荷札票１２と、到着整理票１３と、客用控え票１４と、受領書１５とから構成されている。
【０００３】
控え票１１は、この例では４枚の伝票１１ａ〜１１ｄから構成されている。控え票１１は、例えば伝票１１ａを依頼主控えとして、伝票１１ｂを発送整理票として、伝票１１ｃを運賃料金請求書兼領収書として、伝票１１ｄを勘定整理票として使用する。控え票１１は、図中左側外縁部が切りとり可能に荷札票１２上に重ねられている。控え票１１の裏面（図中斜線部領域）には、例えば黒色又は藍色等の複写用カーボン層が設けられ、上側の伝票から下側の伝票に情報の複写が可能となるように形成されている。
【０００４】
荷札票１２は、上側帳票１２ａと下側帳票１２ｂとから構成されている。上側帳票１２ａと下側帳票１２ｂとは、図中右側外縁部が開口されて略袋状に接着されている。到着整理票１３、客用控え票１４、及び受領書１５は、この略袋状に形成された荷札票１２内に抜き取り可能に配置されている。到着整理票１３、客用控え票１４、及び受領書１５がこのように配置されているのは、運送中等において配送伝票１０本体からこれらの伝票が脱落することを防止するためである。到着整理票１３、客用控え票１４、及び受領書１５は、その抜き取りを容易にするために、図中右側外縁部が荷札票１２の右端部から露出している。
【０００５】
また、荷札票１２の上側帳票１２ａ、到着整理票１３、及び客用控え票１４のそれぞれの裏面には、上記控え票１１の裏面と同様の複写用カーボン層等が設けられており、上側の伝票から下側の伝票に情報の複写が可能となるように形成されている。
【０００６】
控え票１１ａ上に筆圧またはドットプリンタの印字圧が作用すると、複写用カーボン層により、控え票１１ｂ〜１１ｄ，荷札票１２の上側帳票１２ａ、さらには到着整理票１３、客用控え票１４、及び受領書１５上に、控え票１１ａに記録された情報（文字等）が選択的に転写される。
【０００７】
【発明が解決しようとする課題】
しかし、前述の従来の配送伝票１０では、以下の課題があった。
この配送伝票１０が用いられる物流過程では、配送物が着店に到着した後に、上述の荷札票１２，到着整理票１３，客用控え票１４，及び受領書１５の少なくとも４枚の伝票の使用が不可欠である。
従って、荷札票１２は、到着整理票１３、客用控え票１４、及び受領書１５を収納するために、袋状に形成する必要があった。このため、荷札票１２は、２つの帳票（１２ａ，１２ｂ）から構成しなければならなかった。
【０００８】
しかし、配送伝票１０のコストを低減するために、配送伝票１０に用いる帳票の枚数を極力削減したいという要請がある。
本発明の課題は、上述の要請に応えるべく、配送伝票に使用する帳票の枚数を削減することにある。
【０００９】
【課題を解決するための手段】
上記課題を解決するため、請求項１の発明は、複数枚の伝票が分離可能に重ねられ、上側の伝票に記録された情報が選択的に下側の伝票に複写される配送伝票であって、一対の対向する第１外縁部及び第２外縁部を有する荷札票と、前記荷札票上に配置され、前記荷札票の前記第１外縁部及び前記第２外縁部より内側に位置する第１外縁部及び第２外縁部を有する受領票と、前記受領票の前記第１外縁部及び前記第２外縁部を、前記荷札票と剥離可能に接着する第１の接着剤部と、前記受領票上に配置され、前記荷札票の前記第１外縁部及び前記第２外縁部と重なる第１外縁部及び第２外縁部を有する到達整理票と、前記荷札票と前記到達整理票との前記第１外縁部及び前記第２外縁部同士を剥離可能に接着する第２の接着剤部と、前記第２の接着剤部により接着された前記荷札票と前記到達整理票との間であって前記受領票の上側又は下側に配置される客用控え票とを備え、前記荷札票、前記受領票、前記到達整理票及び前記客用控え票は、厚み方向において重なる第３外縁部を有し、前記荷札票、前記受領票、前記到達整理票及び前記客用控え票の前記第３外縁部を接着する第３の接着剤部と、前記第３の接着剤部の内側に形成され、前記荷札票、前記受領票、前記到達整理票及び前記客用控え票を前記第３接着剤部から分離可能にする裁断部とを備え、前記受領票は、前記荷札票の第４外縁部より内側に位置する第４外縁部を有し、前記第１の接着剤部は、前記受領票の前記第４外縁部と前記荷札票とを剥離可能に接着し、前記到達整理票は、前記荷札票の前記第４外縁部と重なる第４外縁部を有し、前記第２の接着剤部は、前記荷札票と前記到達整理票との前記第４外縁部同士を剥離可能に接着すること、を特徴とする。
【００１２】
請求項２の発明は、請求項１に記載の配送伝票において、荷札票の下面側には、配送伝票を配送物に貼付するための第４の接着剤部を備えることを特徴とする。
【００１３】
請求項３の発明は、請求項１に記載の配送伝票の使用方法であって、前記配送伝票を、配送物に貼付して配送する配送過程において、前記配送伝票から前記到達整理票及び前記客用控え票を分離して配送先に配送物を配送し、その配送物を配送先に渡すことができなかったときは、前記客用控え票を前記荷札票と前記受領票との間に収納することを特徴とする。
【００１５】
【発明の実施の形態】
以下、図面等を参照して、本発明の一実施形態について説明する。図１は、本発明による配送伝票の第１の実施形態である配送伝票２０を示す分解斜視図である。配送伝票２０は、図５で示した配送伝票１０と同様に、プリンタ等で印字可能に図中上下方向にミシン目等で連接された連続帳票の１葉である。
配送伝票２０は、荷札票２２と、その上部に順次重ねられた受領書２５と、客用控え票２４と、到着整理票２３と、控え票１１とから構成されている。各伝票の図中左側の１辺と、控え票１１及び荷札票２２の図中右側の１辺には、ミシン目１により裁断可能に形成されたマージナル部２が設けられている。マージナル部２には、プリンタの帳票搬送部と係合するためのスプロケット孔３が形成されている。
【００１６】
本実施形態においては図示を省略するが、各伝票上には、図５の配送伝票１０と同様にそれぞれ配送物の届先，依頼元，品名等を記載する記録領域と、さらには商品名等の配送物に関する属性情報を符号化したバーコードが設けられている。これらの各記録領域は、全ての伝票において同一のものを設けても良く、あるいは用途等に応じて異なるものを設けても良い。
【００１７】
控え票１１は、図５で示したものと同様のものであり、４枚の伝票１１ａ〜１１ｄから構成されている。配送伝票２０の最上部に位置する控え票１１の伝票１１ａから受領書２５までの裏面側には、上側の伝票に記録された情報を下側の伝票に複写するための情報複写層（図示せず）が設けられている。情報複写層としては、従来例で示したものと同様のカーボン方式や、発色剤と顕色剤とを用いたノンカーボン方式があげられる。
【００１８】
各伝票の素材としては、紙材や樹脂フィルム等が用いられる。この実施形態では、控え票１１、客用控え票２４、及び荷札票２２は、紙材から形成されており、到着整理票２３及び受領書２５は、樹脂フィルムから形成されている。このように構成するのは、到着整理票２３及び受領書２５は、物流過程において、表面が露出している時間が多く、他の伝票以上に機械的強度を必要とするからである。なお、伝票を樹脂フィルムから形成する場合には、表面に印刷適性、筆記（印字適性）、及び押印適性等を付与することが必要である。
【００１９】
到着整理票２３と荷札票２２とは、略同一の大きさに形成されている。また、客用控え票２４及び受領書２５は、到着整理票２３及び荷札票２２より小さく形成されている。すなわち、到着整理票２３〜荷札票２２までの伝票が重ねられたときに、客用控え票２４及び受領書２５の図中上下側及び右側の外縁部が、到着整理票２３及び荷札票２２のそれより内側に位置するように形成されている。
【００２０】
荷札票２２には、上下側及び右側の外縁部を囲むように、接着剤部２２ａが設けられている。そしてさらに、接着剤部２２ａの内側を囲むように、接着剤部２２ｂが形成されている。接着剤部２２ａ及び２２ｂは、接着後に剥離が可能な性質を有するものである。しかし、接着剤部２２ａ及び２２ｂは、接着後にきれいに剥離することができる必要はなく、若干の材料破壊を伴って剥離することができるような性質のものでも良い。
また、各伝票の図中左側のマージナル部２上には、接着剤部（いわゆるライン糊；図示せず）が設けられている。
【００２１】
なお、荷札票２２は、タック紙であり、その下面の略全領域には、接着剤部（図示せず）が形成されている。接着剤部は、配送伝票２０を配送物に貼付するためのものである。その接着剤部上には、接着剤部を保護するための剥離シート（図示せず）が貼付されている。
【００２２】
接着剤部２２ａ及び２２ｂは、版を用いて１回で塗布形成される。また、各伝票の図中左側のマージナル部２上には、いわゆるライン糊が塗布される。
そして、受領書２５が荷札票２２上に重ねられると、荷札票２５の図中上下側外縁部及び右側外縁部と荷札票２２の接着剤部２２ｂとが剥離可能に接着される。また、上述したように、受領書２５の外形は荷札票２２より小さく形成されているので、受領書２５と荷札票２２の接着剤部２２ａとは接着されない。そして、受領書２５の上側には客用控え票２４が重ねられる。さらに、その上側に到着整理票２３が重ねられると、到着整理票２３の図中上下側外縁部及び右側外縁部と荷札票２２の接着剤部２２ａとが剥離可能に接着される。
一方、隣接する伝票間において、各伝票の図中左側のマージナル部２は、いわゆるライン糊により接着される。従って、客用控え票２４を含めて、各伝票は、マージナル部２で綴じられる。
【００２３】
図２は、図１の配送伝票２０のうち、到着整理票２３、客用控え票２４、受領書２５、及び荷札票２２を示す外観斜視図である。また、図３は、図２のＡ−Ａ断面を示す断面図である。
上述のように各伝票が綴じられることにより、荷札票２２と到着整理票２３とは、接着剤部２２ａにより略袋状に綴じられ、その内部に客用控え票２４及び受領書２５が配置される。また、荷札票２２と受領書２５とは、接着剤部２２ｂにより略袋状に綴じられる。
【００２４】
以上の構成により、配送伝票２０は、従来の配送伝票１０と比較して、荷札票２２を２つの帳票から形成しないので、配送伝票２０の帳票の使用枚数を少なくすることができる。また、接着剤部２２ａ及び２２ｂの形成は、いわゆるライン糊と比較して製造上困難であるが、荷札票２２上にのみ設ければ良く、１回の工程で形成することができるので、製造コストを低減することができる。
【００２５】
次に、配送伝票２０の使用方法の一実施形態について説明する。
先ず、控え票１１ａ上の領域に、配送物の届先，依頼元，品名等の情報（文字，バーコード等）がドットプリンタにより印字される。なお、配送物の届先等の情報は、手書きによる記録でも良い。
【００２６】
控え票１１の伝票１１ａに筆圧またはプリンタによる印字圧が作用すると、情報複写層によって、伝票１１ｂ〜１１ｄ、さらには、その下側の到着整理票２３、客用控え票２４、受領書２５、及び荷札票２２上に情報が複写される。
所定の情報が記録された配送伝票２０は、荷札票２２の裏面に貼付された剥離シートが剥離されて配送物に貼付される。
配送物の取扱い店は、客用控えとして伝票１１ａを分離し、依頼主に渡す。控え票１１の分離は、ミシン目１を裁断することにより行われる。さらに配送物の物流過程において、配送物の着店に至るまでの間に、伝票１１ｂ〜１１ｄが使用される。従って、着店から配送物が受取人に配送されるときは、到着整理票２３が最上部に位置している。
【００２７】
着店において、配送者（例えば、運送会社の運転手）は、到着整理票２３の接着剤部２２ａによって荷札票２２と接着されている領域を剥離するとともにミシン目１を裁断して到着整理票２３を分離し、さらに、客用控え票２４のミシン目１を裁断して客用控え票２４を分離する。
配送物に貼付された配送伝票２０は、荷札票２２と受領書２５のみとなる。配送者は、受取人に配送物を渡し、受取人によって受領書２５に配送物を受け取ったことを証明するための押印をしてもらう。また、客用控え票２４を受取人に渡す。そして、受領書２５の接着剤部２２ｂにより接着されている領域を剥離するとともにミシン目１を裁断して、受領書２５を分離する。
【００２８】
図４は、本発明による配送伝票の第２の実施形態の要部を示す外観斜視図である。図４では、控え票１１の図示を省略している。この実施形態では、受領書２５の図中上下側の外縁部がその下側の荷札票２２と剥離可能に接着されている。また、到着整理票２３の図中上下側の外縁部が荷札票２２の上下側の外縁部と剥離可能に接着されている。従って、受領書２５と荷札票２２、及び到着整理票２３と荷札票２２との図中右側外縁部は、開口されている。
このように形成すれば、配送物の受取人が不在のときに、既に分離した客用控え票２４を、受領書２５と荷札票２２との間の袋状部分に収納しておくことができるようになる。
【００２９】
以上、本発明の一実施形態について説明したが、本発明は、上述した実施形態に限定されることなく、均等の範囲内で以下のような種々の変形が可能である。
（１）控え票１１は、４枚から構成したが、使用態様に応じて何枚でも良い。
（２）客用控え票２４は、必ずしも設けられるものではない。
（３）接着剤部２２ａ及び２２ｂは、４辺の全ての外縁部を剥離可能に接着するように設けても良い。また、このときは、必要に応じて、マージナル部２へのいわゆるライン糊を設けることを省略しても良い。
（４）客用控え票２４を荷札票２２と受領書２５との間に配置しても良い。
【００３０】
【発明の効果】
本発明によれば、以下のような種々の効果がある。
（１）配送伝票に使用する帳票の枚数を少なくすることができる。また、製造コストを低減することができる。
また、荷札票と受領票、又は、荷札票と到達整理票との密着度を高めることができ、配送中等における伝票の剥がれ等を確実に防止することができる。さらに、各伝票を第３外縁部で確実に綴じておくことができる。
【００３１】
このとき、第４の伝票を、他の伝票に剥離可能に接着させておくことなく、設けることができる。また、伝票の全ての外縁部を分離可能に接着させておくことができる。
（２）配送伝票の貼付対象物に対して、第４の接着剤部により接着剤等を用いることなく貼付することができる。
【００３２】
（３）従来のように、荷札となる伝票を袋状に形成してなくても、配送先の控え用としての客用控え票を収納しておくことができる。
【図面の簡単な説明】
【図１】本発明による配送伝票の第１の実施形態である配送伝票２０を示す分解斜視図である。
【図２】図１の配送伝票２０のうち、到着整理票２３、客用控え票２４、受領書２５、及び荷札票２２を示す外観斜視図である。
【図３】図２のＡ−Ａ断面を示す断面図である。
【図４】本発明による配送伝票の第２の実施形態の要部を示す外観斜視図である。
【図５】従来の配送伝票の一例の構成を示す斜視図である。
【符号の説明】
１  ミシン目
２  マージナル部
３  スプロケット孔
１１（１１ａ〜１１ｄ）  控え票
２０  配送伝票
２２  荷札票
２３  到着整理票
２４  客用控え票
２５  受領書
【図１】
0003688364.tif 000002
【図２】
0003688364.tif 000003
【図３】
0003688364.tif 000004
【図４】
0003688364.tif 000005
【図５】
0003688364.tif 000006